(57)【特許請求の範囲】
【請求項１】
吸込口より吸い込んだ空気を熱交換して吹出口より吹出す壁掛け式空気調和基本対の上面に前方側が下方に下り傾斜する傾斜面を設け、この傾斜面に上向きに前記壁掛け式空気調和機本体の本体横幅よりも広い範囲を光で照射する光源ユニットを設けた空気調和機。
【請求項２】
光源ユニットは短冊状に形成し、壁掛け式空気調和機本体の上面長手方向に沿って設置した請求項１に記載の空気調和機。
【請求項３】
光源ユニットは壁掛け式空気調和機本体上面の傾斜面に前下がり状態に傾斜設置した請求項１〜２のいずれか１項に記載の空気調和機。
【請求項４】
光源ユニットが当該光源ユニットの前方に位置する壁掛け式空気調和機本体の上面を照射するのを遮る遮光部を有する請求項１〜３のいずれか１項に記載の空気調和機。
【請求項５】
光源ユニットは短冊状筐体と、短冊状筐体の端部から中央方向に向かって光を照射する光源体と、この光源体の照射光を短冊状筐体の長手方向に沿って導光する導光板とを備えた請求項１〜４のいずれか１項に記載の空気調和機。
【請求項６】
短冊状筐体は導光板の前方側に壁板部を多重に備えた請求項５に記載の空気調和機。
【請求項７】
多重の壁板部は当該壁板部同士の間に空間部を構成するように形成し、この空間部に光源体に接続されたリード線を配線した請求項６に記載の空気調和機。
【請求項８】
短冊状筐体は、導光板の前方を覆うカバーを備えた請求項６〜７のいずれか１項に記載の空気調和機。
【請求項９】
カバーは略コ字状に形成され、その両端部分が光源体を覆う請求項８に記載の空気調和機。
【請求項１０】
光源体は発光色が異なる少なくとも二種類の発光素子を備え、前記発光素子のいずれかを
任意に点・消灯可能な構成とした請求項１〜９のいずれか１項に記載の空気調和機。
【請求項１１】
空調運転を所定時刻もしくは所定時間後に開始させる「入」タイマー及び所定時刻もしくは所定時間後に空調運転を停止させる「切」タイマーを備え、前記「入」タイマーによる空調運転開始時は白色系の発光素子を点灯させ、「切」タイマーセット時には暖色系の発光素子を点灯させるようにした請求項１０に記載の空気調和機。
【発明の詳細な説明】
【技術分野】
【０００１】
本発明は照明機能を付加した空気調和機に関する。
【背景技術】
【０００２】
一般に家庭で使用される空気調和機は、通常、室内への騒音及び振動を抑制するために、コンプレッサ等の大きな騒音源、振動源となるものを室外機に配設し、騒音及び振動の少ないファンや熱交換器等を室内機に配設したセパレータ型が用いられている。そして上記室内機は部屋の壁面上部等に設置されて、室内が所望の温度となるよう空調動作を行っている（例えば、特許文献１参照）。
【０００３】
図１１は特許文献１に開示されている空気調和機を示し、１００は室外機、１０１は室内機で、室内の空調を行っている。
【０００４】
一方、家庭の各部屋には照明器具が設けてある。照明器具は、直接照明と間接照明の２種に大別できる。直接照明は、部屋の天井に下方に向けて光を照射する照明器具を設け、部屋全体を明るくするのが一般的である。一方、間接照明は、天井の四辺に遮壁を設けてこの部分に照明器具を設置し、天井に光を照射することで、間接的に部屋を明るくする。
【０００５】
この間接照明は部屋の四辺すべてに設けるのではなく、部屋の一辺もしくは部屋の一辺の更にその一部分のみに設ける等、居住者の好みに応じて各種形態がみられるようになってきている。例えば、ダイニングとリビングが一体の居間ではリビング部分のみ、寝室等では頭部の上方部分のみ、というように、部屋の一辺もしくは部屋の一辺の更にその一部分のみに設けることが多くなっている。
【０００６】
そして、このような照明は、居住者に視覚的な効果を与え、空気調和機の空気調和効果と合わさってその快適性を一段と向上させることができ、根強い需要がある。
【先行技術文献】
【特許文献】
【０００７】
【特許文献１】特開２０１２−２１７３５号公報
【発明の概要】
【発明が解決しようとする課題】
【０００８】
しかしながら、上記間接照明は部屋の一辺もしくは部屋の一辺の更にその一部分のみに設ける場合のいずれの場合であっても照明器具の光源が居住者から直接見えないようにする必要があり、そのため光源と居住者との間に光源からの光線を遮る遮壁が必要となる。
【０００９】
この遮壁は住宅を新築するような時であれば容易に敷設することができるものの、既築住宅では容易でなく、大掛かりな工事を伴うとともにコスト負担も大きなものとなる。したがって現実的には、既築住宅に付設することはあきらめざるを得ないのが実情である。
【００１０】
また、仮にコスト負担を承知で付設するとしても、既に部屋の壁面に空気調和機が据え付けられている場合には、空気調和機を取り外して据え付け直さなければならないとともに、据え付け直した空気調和機の位置が低くなって圧迫感を感じると同時に快適な空調が得られなくなる事態を引き起こす等のことが生じ、実質上既築住宅に付設することはできないというのが実情である。
【００１１】
本発明はこのような点に鑑みてなしたもので、既築住宅であっても容易かつ安価に、そして空調性能を損なうことなく間接照明を得ることができる空気調和機を提供することを目的としたものである。
【課題を解決するための手段】
【００１２】
本発明は、前記目的を達成するために、吸込口より吸い込んだ空気を熱交換して吹出口より吹出す壁掛け式空気調和機本体の上面に前方側が下方に下り傾斜する傾斜面を設け、この傾斜面に上向きに光を照射する光源ユニットを設けた構成としてある。
【００１３】
これにより、壁掛け式空気調和機本体を部屋の壁面に据え付ければ壁掛け式空気調和機本体が遮壁となって間接照明が可能となり、別途部屋の壁面に光源ユニットの光源体からの光線を遮る遮壁を新たに敷設するなどのことをしなくても壁掛け式空気調和機本体の設置だけで間接照明を得ることができる。そして、壁掛式空気調和機はこれまでと同様部屋の壁面上部に設置することができ、居住者に圧迫感を与えることなく良好な空気調和が可能となる。
【発明の効果】
【００１４】
本発明は、上記した構成によって、壁掛け式空気調和機本体を設置するだけで間接照明を得ることができ、既築住宅であっても容易かつ安価に、そして空調性能を損なうことなく良好な間接照明を得ることができる。
【図面の簡単な説明】
【００１５】
【図１】本発明の実施の形態１に係る空気調和機における室内機の斜視図
【図２】同実施の形態１に係る空気調和機の室内機の正面図
【図３】同実施の形態１に係る空気調和機を上方から見たときの斜視図
【図４】同実施の形態１に係る空気調和機の室内機の断面図
【図５】同実施の形態１に係る空気調和機の室内機上面に設置する光源ユニットの斜視図
【図６】同実施の形態１に係る空気調和機の光源ユニットの分解斜視図
【図７】同実施の形態１に係る空気調和機の図５に示す光源ユニットのＡ−Ａ断面図
【図８】同実施の形態１に係る空気調和機の図５に示す光源ユニットの部分上面図
【図９】同実施の形態１に係る空気調和機の光源ユニットの制御を示す制御フロー図
【図１０】（ａ）（ｂ）同実施の形態１に係る空気調和機の光源ユニットの制御を示すタイムチャート
【図１１】従来の空気調和機を示す断面図
【発明を実施するための形態】
【００１６】
本発明の一態様による空気調和機は、吸込口より吸い込んだ空気を熱交換して吹出口より吹出す壁掛け式空気調和機本体の上面に前方側が下方に下り傾斜する傾斜面を設け、この傾斜面に上向きに光を照射する光源ユニットを設けた構成としてある。
【００１７】
これにより、壁掛け式空気調和機本体を部屋の壁面に据え付ければ壁掛け式空気調和機本体が遮壁となって間接照明が可能となる。つまり、部屋の壁面に光源ユニットの光源体からの光線を遮る遮壁を新たに敷設するなどのことをしなくても壁掛け式空気調和機本体の設置だけで間接照明を得ることができる。そして、壁掛式空気調和機はこれまでと同様部屋の壁面上部に設置することができ、居住者に圧迫感を与えることなく良好な空気調和が可能となる。
【００１８】
第２の形態は、第１の形態において、前記光源ユニットは短冊状に形成し、壁掛け式空気調和機本体の上面長手方向に沿って設置した構成としてある。
【００１９】
これにより、壁掛け式空気調和機本体の長手方向略全域上方を光源ユニットで照射して明るくすることができ、壁掛け式空気調和機本体の一部、例えば本体長手方向の一方端部分の上方のみが明るくなるような貧弱さを解消し、形だけの間接照明ではなくゴージャスで本格的な間接照明とすることができる。
【００２０】
第３の形態は、第１または第２の形態において、前記光源ユニットは壁掛け式空気調和機本体の本体横幅よりも広い範囲を照射する構成としてある。
【００２１】
これにより、居住者は壁掛け式空気調和機本体の下方付近に位置していても壁掛け式空気調和機本体の両側部周りの間接光によってほのかな間接照明を得ることができ、間接照明効果を確実に発揮させることができる。
【００２２】
第４の形態は、第１〜第３の形態において、前記光源ユニットは壁掛け式空気調和機本体上面の傾斜面と同様前下がり状態に傾斜設置した構成としてある。
【００２３】
これにより、光源ユニットから天井に向かって照射する光は空気調和機本体前方もしくは前端上部の天井面を明るくして間接照明機能を確実に発揮させることができ、壁掛け式空気調和機の奥行き寸法が大きなものであっても良好な間接照明を実現することができる。
【００２４】
第５の形態は、第１〜第４の形態において、前記光源ユニットが当該光源ユニットの前方に位置する壁掛け式空気調和機本体の上面を照射するのを遮る遮光部を設けた構成としてある。
【００２５】
これにより、前方の壁掛け式空気調和機上面を照らしてこの部分が明るくなるのを防止することができる。特に、前記第４の形態のように光源ユニットを壁掛け式空気調和機本体上面の傾斜面と同様前下がり状態に傾斜設置して光源ユニット設置面が光源ユニットによってより照らされやすい状態となっていても、この傾斜設置した前下がり状態の光源ユニットが光源ユニットよりも前方の空気調和機本体上面部分を照らしてこの部分が明るくなるのを防止することができる。よって、天井面に形成される間接光をくっきりと浮かび上がらせて良質な間接照明とすることができる。また、光源ユニットの一部分から前方に光が漏れることを防止できるので、壁掛け式空気調和機を正面遠方から見た場合であっても、間接照明の雰囲気を損なうことがない。
【００２６】
第６の形態は、第１〜第５の形態において、前記光源ユニットは短冊状筐体と、短冊状筐体の端部から中央方向に向かって光を照射する光源体と、この光源体の照射光を短冊状筐体の長手方向に沿って導光する導光板とを備えた構成としてある。
【００２７】
これにより、光源ユニットが壁掛け式空気調和機本体の長手方向に沿った長いものであっても少ない光源体で壁掛け式空気調和機本体の上方略全域を照射することができ、しかもその照射は導光板による光の拡散効果によってむらの少ない均一なものとすることができ、良質な間接照明を実現することができる。加えて、上記導光板によってその光を壁掛け式空気調和機本体の本体横幅よりも広い範囲を照射可能となり、光源ユニットを壁掛け式空気調和機本体の横幅一杯の長さに形成しなくても前記第３の形態で示す効果が得られる。
【００２８】
第７の形態は、第６の形態において、前記光源ユニットの短冊状筐体は導光板の前方側に壁板部を多重に備えた構成としてある。
【００２９】
これにより、導光板の前方側に位置する壁板部が第５の形態で述べた光源ユニットからの光を遮断する遮光部となって壁掛け式空気調和機本体の光源ユニットよりも前方の上面部分が明るくなるのを防止することができ、天井面に形成される間接光をくっきりと浮かび上がらせて良質な間接照明とすることができる。また、光源ユニットの一部分から前方に光が漏れることを防止できる。
【００３０】
第８の形態は、第７の形態において、前記多重の壁板部は当該壁板部同士の間に空間部を構成するように形成し、この空間部に光源体に接続されたリード線を配線した構成としてある。
【００３１】
これにより、光源体のリード線が第５の形態で述べた遮光部としても機能することになり、光源ユニットからの光を遮断する遮光効果を高めることができると同時に当該構成を利用して合理的に配線を行うことができ、遮光効果の向上と構成の合理化を同時に達成することができる。
【００３２】
第９の形態は、第６〜第８の形態において、前記光源ユニットの短冊状筐体は、導光板の前方を覆うカバーを備えた構成としてある。
【００３３】
これにより、カバー部が第５の形態で述べた遮光部となって空気調和機本体の光源ユニットよりも前方の上面部分が明るくなるのを防止することができる。また、光源ユニットの一部分から前方に光が漏れることを防止できる。
【００３４】
第１０の形態は、第９の形態において、前記カバーは略コ字状に形成され、その両端部分が光源体を覆う構成としてある。
【００３５】
これにより、光源ユニットの両側部から光源体もしくは導光板両側部からの光が横方向に漏れるのを防止することができ、壁掛け式空気調和機本体の側方部が一部明るくなって間接照明効果を低下させるようなことを防止でき、更に良質な間接照明とすることができる。
【００３６】
第１１の形態は、第１〜第１０の形態において、前記光源体は発光色が異なる少なくとも二種類の発光素子を備え、前記発光素子のいずれかを任意に点・消灯可能な構成としてある。
【００３７】
これにより、例えば光源体を白色系の発光素子と暖色系の発光素子で構成し、昼間は白色系の発光素子を点灯させるとともに、夜間の休息時や就寝時等は暖色系の発光素子を点灯させることによってそれぞれのシーンに最適な間接照明が可能となり、空調効果と相まってより快適な空間の創出が可能となる。
【００３８】
第１２の形態は、第１１の形態において、前記空調運転を所定時刻もしくは所定時間後に開始させる「入」タイマー及び所定時刻もしくは所定時間後に空調運転を停止させる「切」タイマーを備え、前記「入」タイマーによる空調運転開始時は白色系の発光素子を点灯させ、「切」タイマーセット時には暖色系の発光素子を点灯させるようにした構成としてある。
【００３９】
これにより、「入」タイマーにより空調運転を開始させる起床時等には白色系の間接照明が得られ、「切」タイマーをセットして就寝するようなときには暖色系の間接照明が得られ、より快適な空間を自動的に創出することができ、使い勝手の良いものとすることができる。
【００４０】
以下、本発明の空気調和機に係る実施の形態について、添付の図面を参照しながら説明する。
【００４１】
なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００４２】
（実施の形態１）
図１〜図４は、本実施の形態に係る壁掛け式空気調和機の全体構成を示す。同図１〜図４において、壁掛け式空気調和機の主体をなす壁掛け式空気調和機本体１は、内部に熱交換器２、送風ファン３を備えている。また、壁掛け式空気調和機本体１は、上方および前方に吸込口４を下方に吹出口５をそれぞれ有しており、吸込口４から吸い込んだ空気は熱交換器２を通過し、これと熱交換して吹出口５から室内に送風するように構成されている。吸込口４と熱交換器２との間には、熱交換器２を通過する空気の粉塵を除去するためにエアフィルタ６が設けられている。
【００４３】
また、吹出口５には上下風向変更羽根７と左右風向変更羽根（図示せず）が備えられており、室内へ送風する際の上下及び左右方向の位置を変更することができる。また、さらに壁掛け式空気調和機本体１は、その前面に壁掛け式空気調和機本体１の前面を覆う前面パネル８が設けられており、上部の軸支部（図示せず）を中心に下方部を手前上方に回動させて開くことができるようになっていて、エアフィルタ６や制御ユニット９がメンテナンスできるようになっている。
【００４４】
また、壁掛け式空気調和機本体１は、吹出口５の上方であって前方側に、表示部１０が設けられている。表示部１０は内部に壁掛け式空気調和機本体１の稼働状況を表示する液晶や、リモコン１１からの指示信号を受信して制御ユニット９に伝送する受信部（図示せず）を備えている。そして、前記制御ユニット９は上記受信部を介して伝達されるリモコン１１からの指示に基づいて室外機（図示せず）に設置されている圧縮機（図示せず）や前記送風ファン３等を駆動し空調運転を制御するようになっている。
【００４５】
そして更に、この壁掛け式空気調和機は、図３、図４に示すように、その壁掛け式空気調和機本体１上面の吸込口４より前方部分に、前方にいくほど下方に位置する前下がり状の傾斜面１２を形成し、この傾斜面１２に間接照明を行うための光源ユニット１４を設けてある。
【００４６】
この光源ユニット１４は図３に示すように短冊状に形成し、壁掛け式空気調和機本体１の上面長手方向ほぼ全域にわたって位置するように設置してある。より詳細には、光源ユニット１４は、上方の吸込口４の開口のほぼ全幅にわたって配置されることが望ましい。
【００４７】
図５〜図８は上記光源ユニット１４を示し、この光源ユニット１４は図６に示すように、光源ユニット１４の両側部に位置する光源体１５と、この光源体１５からの光を拡散してそれ自身が光源となる導光板１６を有し、これら光源体１５と導光板１６とを短冊状筐体１７で保持してユニット化してある。
【００４８】
上記短冊状筐体１７は、光源体１５と導光板１６を支持する支持基台１８と、前記導光板１６及び光源体１５の上方から前記支持基台１８に被せ装着してこれら光源体１５と導光板１６を固定するカバー１９とで構成してある。導光板１６と支持基台１８とは、それぞれ長手方向に２つの部品で構成されている。２つの導光板１６はそれぞれ平面（光源体１５が設けられた面と垂直な面）に微細加工が施されている。
【００４９】
前記光源体１５は、図８に示すように例えばＬＥＤで構成した発光素子２０とこれを装着したプリント基板からなる光源体基板２１とからなり、図５、図６に示すように光源ユニット１４の両側部に位置していてそれぞれの発光素子２０が向かい合いそれぞれが中心方向に向かって互いに光を照射するように配置してある。
【００５０】
導光板１６と発光素子２０とは、０．２ｍｍ以上０．８ｍｍ以下の隙間を設けて配置されている。これによれば、導光板１６と発光素子２０が接触することによる発光素子の破損の防止と、発光素子２０からの光漏れ（発光素子２０からの光のうち導光板１６に入射されない光が生じること）の防止を両立できる。
【００５１】
そして、上記発光素子２０は発光色が異なる少なくとも二種類の発光素子２０ａ、２０ｂからなっていて、例えばこの実施の形態ではその一方の発光素子２０ａは白色系の発光、他方の発光素子２０ｂは暖色系の発光を行う。より詳細には、発光素子２０ａの色温度は、６０２０〜７０４０Ｋであり、発光素子２０ｂの色温度は、３２２０〜３７１０Ｋであることが望ましい。
【００５２】
また、２つの導光板１６はそれぞれの一端面を前記発光素子２０ａ、２０ｂに対向させ他端面を互いに突き合わせて配置してあり、発光素子２０ａ或いは２０ｂからの光を拡散して短冊状の長細い光源ユニット１４の全域を発光状態とし、天井面に向けて光を照射する。この時この導光板１６は導光板１６を中心に周囲に光を拡散放射し、少なくとも壁掛け式空気調和機本体の横幅よりも広い範囲の天井を照射可能となっている。つまり、２つの導光板１６は、ぞれぞれ、光源体１５を設けた側の端面から入射した光を、導光板１６の内面で全反射する際の光の反射角度を変え、平面から出射させることで、面発光を行うようになっている。さらに、図５中に矢印Ｂで示すように、導光板１６から出射される光の中心軸は、平面の垂直方向から光源体１５を設けた側に向かって傾斜した方向になっている。
【００５３】
さらに２つの導光板１６は、０．７ｍｍ以上１．３ｍｍ以下の隙間を設けて、互いに突き合わせて配置されている。これによれば、２つの導光板１６が、熱膨張によって長手方向に伸びて互いに衝突することによる導光板１６の変形防止と、突き合わせ部の隙間を目立ちにくくすることを両立できる。これによって、導光板１６を２つに分割しても、むらの少ない均一な面発光が実現できる。
【００５４】
また、短冊状筐体１７の支持基台１８は長手方向に複数の壁板部２２ａ、２２ｂ、２２ｃ、２２ｄ（図７参照）を設けて構成してあり、後方側に位置する一対の壁板部２２ａ、２２ｂにより構成する凹部２３に前記導光板１６を嵌合装着してある。また、前方側に位置する一対の壁板部２２ｃ、２２ｄにより構成する空間部２４（図７参照）に前記光源体１５の発光素子２０に繋がるリード線２５を通し、二つある支持基台１８のうちの一方の端部に設けたリード線引出部２６（図６参照）まで引き出し、他方の光源体１５の発光素子２０からのリード線（図示せず）とともに引き出して前記した制御ユニット９に接続し給電するようにしてある。
【００５５】
さらに前記短冊状筐体１７のカバー１９は、図６に示すように前記した導光板１６の上面と対向する部分を切除した形の略コ字状に形成し、その両端部分に前記光源体１５の外面側を覆う側面カバー部２７が設けてある。図７に示すように、前記カバー１９の前方は、長手方向に垂直な断面が略円弧状の平板で形成されている。一方、その平板の後方、すなわち、前記カバー１９の導光板１６の前端面側に位置する部分は階段状に隆起させてカバー壁板部２８を形成している。カバー壁板部２８の上端は後述するように前下がり上に設置される導光板１６の後方端Ｘよりも上方に位置するようにして前方水平方向への光を遮る遮光部の機能を果たすようにしてある。そして前記カバー壁板部２８の下端数カ所に
係合爪片２９を形成し、この係合爪片２９を前記各支持基台１８の壁板部２２ｂと２２ｃとの間に形成した係合孔３０に嵌合弾着させて、支持基台１８を連結保持し、これらと一体になって短冊状筐体１７を構成している。
【００５６】
以上のように構成した上記光源ユニット１４は、この実施の形態では図７に示すようにその導光板１６が壁掛け式空気調和機本体１上面の傾斜面１２に沿って前下がり状態になるように傾斜設置してある。なお、この光源ユニット１４の設置は前記前下がり状態の傾斜設置に限られるものではなく、例えば略水平状態や後ろ下がり傾斜設置等してもよいものである。
【００５７】
そして、上記光源ユニット１４は、図１に示すリモコン１１に設けた、光源ユニットを「入」「切」するスイッチである照明スイッチ３１によってその通電回路を開・閉可能なようにしてある。更に、前記リモコン１１に設けた運転スイッチ３２をオン操作、或いは同リモコン１１に設けた所定時刻もしくは所定時間後に空調運転を開始するように指示する「入」タイマースイッチ３３を操作することによって、当該指示した時間に点灯させることができるようにしてある。
【００５８】
また、同リモコン１１に設けた「切」タイマースイッチ３４を操作することによって所定時刻もしくは運転停止する所定時間前に点灯させ、所定時間後に消灯させることができるようにしてある。
【００５９】
なお、この実施の形態では、光源ユニット１４の発光素子２０が既に述べたように白色系と暖色系の二種類としてあって、運転スイッチ３２或いは「入」タイマースイッチ３３を操作した場合は白色系の発光素子２０ａを点灯させ、「切」タイマースイッチ３４を操作した場合は暖色系の発光素子２０ｂを点灯する構成としてある。
【００６０】
以上のように構成した空気調和機の動作について以下説明する。
【００６１】
まず、この空気調和機は一般的な空気調和機と同様、運転スイッチ３２によるオン／オフ指示、「入」タイマースイッチ３３及び「切」タイマースイッチ３４の操作による指示によって、それぞれの指示に応じた空気調和運転を行う。
【００６２】
そして、この空気調和機は、その壁掛け式空気調和機本体１の上面に光源ユニット１４が設けてあるので、運転スイッチ３２をオンして通常の空調運転を開始、もしくは「入」タイマースイッチ３３或いは「切」タイマースイッチ３４を操作してタイマー運転を行うと、間接照明を行うことが可能となる。
【００６３】
この間接照明は、照明スイッチ３１をオンしてその給電回路を閉じておけば実施でき、オフしておけば間接照明なしの空調運転だけを行うことができる。すなわち、居住者の好みに応じて間接照明をするかしないかの選択ができる。
【００６４】
上記照明スイッチ３１をオンした状態で運転スイッチ３２をオンすると、空調運転とともに光源ユニット１４の発光素子２０が点灯し、間接照明を行うことができる。
【００６５】
また、照明スイッチ３１をオンした状態で「入」タイマースイッチ３３或いは「切」タイマースイッチ３４を操作してタイマー運転すると、そのタイマー運転内容に応じて光源ユニット１４の発光素子２０が点灯し、間接照明を行うことができる。
【００６６】
このタイマー運転時における光源ユニット１４の点灯制御を図９の制御フロー図を用いて以下説明する。
【００６７】
図９において、この光源ユニット制御は、まず運転指示有か否かを確認する（ステップＳ１）。
【００６８】
運転指示有の場合（ステップＳ１のＹ）、その運転指示が運転スイッチ３２オンによる通常運転指示か、「入」タイマースイッチ３３或いは「切」タイマースイッチ３４のいずれかの操作によるタイマー運転指示かを判定する（ステップＳ２）。
【００６９】
タイマー運転指示であれば（ステップＳ２のタイマー運転）、それがタイマー運転「入」指示かを確認する（ステップＳ３）。
【００７０】
タイマー運転「入」指示であれば（ステップＳ３のＹ）、タイマー時刻に到達したかを確認し（ステップＳ４）、到達した時点で空調運転を開始する（ステップＳ５）。そして照明スイッチ３１がオンされて照明点灯指示があるか否かを確認し（ステップＳ６）、照明点灯指示があれば（ステップＳ６のＹ）白色系の発光素子２０ａを点灯させて（ステップＳ７）間接照明を行う。
【００７１】
一方、前記タイマー運転指示がタイマー運転「切」の場合（ステップＳ３のＮ）、照明スイッチ３１がオンされて照明点灯指示があるか否かを確認し（ステップＳ９）し、照明点灯指示があれば（ステップＳ９のＹ）、暖色系の発光素子２０ｂを点灯させて（ステップＳ１０）間接照明を行う。そして、所定時間、例えば使用者が眠りにつく程度の時間が経過すると（ステップ１１のＹ）、前記発光素子２０ｂを消灯させて（ステップＳ１２）間接照明を停止する。その後「切」タイマー設定時刻に到達すると、空調運転を停止する（ステップ１４）。
【００７２】
なお、前記タイマー運転指示か否かの判定（ステップＳ２）において、タイマー運転指示ではなく通常運転指示であれば（ステップＳ２の通常運転）、そのまま空調運転を開始し（ステップＳ５）、更に照明スイッチ３１がオンされて照明点灯指示があるか否かを確認し（ステップＳ６）、照明点灯指示があれば（ステップＳ６のＹ）白色系の発光素子２０ａを点灯させて（ステップＳ７）間接照明を行う。
【００７３】
図１０（ａ）（ｂ）は前記光源ユニット１４による間接照明例を示すタイムチャートで、以下これを用いて上記制御による空調運転の状況と発光素子２０の点灯状況を説明する。
【００７４】
まず、図１０（ａ）に示すように「入」タイマーを操作して予約時刻をｔ５に設定した場合は、ｔ５の所定時間前であるｔ５ａに予備運転を開始し、予約時刻ｔ５に到達すると空調運転を開始するとともに、暖色系の発光素子２０ｂを点灯させて間接照明を開始する。ここで、予備運転とは、予約時刻に室温がリモコン１１で設定された温度となるように、早めに空調運転を開始するものである。
【００７５】
一方、図１０（ｂ）に示すように空調運転中に「切」タイマーを操作して時刻ｔ１５に空調運転を停止するように設定した場合は、「切」タイマー設定とともに白色系の発光素子２０ａが消灯等して暖色系の発光素子２０ｂを点灯し、暖色系の間接照明を行う。そして、この間接照明を行っている暖色系の発光素子２０ｂは、「切」タイマーを設定した時刻ｔ１２から所定時間経過した時刻ｔ１３で消灯し、間接照明を停止する。その後、「切」タイマー時刻ｔ１５に到達すると、空調運転も停止する。なお、この例では前記発光素子２０ｂを消灯する所定時間前、例えば数十秒前に発光素子２０ｂの明るさを最小にし、時刻ｔ１５ａに到達すると消灯するようにしてある。
【００７６】
以上のように構成した空気調和機について、次にその間接照明付空気調和機としての作用効果を説明すると、この空気調和機は、壁掛け式空気調和機本体１上面に光源ユニット１４を設けてあるから、壁掛け式空気調和機本体１そのものが遮壁となって光源ユニット１４による間接照明が可能となる。
【００７７】
すなわち、使用者はこの空気調和機の壁掛け式空気調和機本体１を部屋の壁面に据え付けるだけで空気調和とともに間接照明が可能となる。したがって部屋の壁面に遮壁を新たに敷設して照明装置を付設するような必要がなく、既築住宅であっても容易かつ安価に間接照明を実現することができる。
【００７８】
また、上記空気調和機の壁掛け式空気調和機本体１は、部屋の壁面に遮壁を設けることなく据え付けることができる。したがって、従来と同様部屋の壁面の上部に据え付けることができ、その設置位置が低くなって居住者に圧迫感を与えたり、気流が遠くまで届かなくなるなどによって空調性能が低下するなどのことがなく、快適な空調が可能となる。  また、上記光源ユニット１４は短冊状に形成し、壁掛け式空気調和機本体１の上面長手方向に沿って設置してあるから、壁掛け式空気調和機本体１の長手方向略全域上方を光源ユニット１４で照射して明るくすることができる。
【００７９】
すなわち、壁掛式空気調和機に間接照明用の照明ユニットを付設する場合、壁掛け式空気調和機本体１の一部、例えば本体長手方向の一方端部分に間接照明用の照明ユニットを付設する等のことが考えられるが、このような形で付設した場合に生じる問題点、すなわち壁掛け式空気調和機本体１の一方端部分の上方のみが明るくなるようなアンバランスさや貧弱さを解消し、壁掛け式空気調和機本体１の上方略全域を明るくして、形だけの間接照明ではなくゴージャスで本格的な間接照明とすることができる。
【００８０】
しかも、この実施の形態では、前記光源ユニット１４は壁掛け式空気調和機本体１上面の傾斜面１２に当該傾斜面１２と同様前下がり状態に傾斜設置してあるから、壁掛け式空気調和機本体１の前端上方もしくは前方上方の天井面を確実に明るくすることができる。すなわち、光源ユニット１４の光源となる導光板１６は前下がり傾斜していることによって壁掛け式空気調和機本体１の前端上方もしくは前方上方の天井面を照らし間接照明機能を確実に発揮させる。したがって、壁掛け式空気調和機の奥行き寸法が大きなものであっても良好な間接照明を実現することができる。
【００８１】
加えて、前記光源ユニット１４は発光素子２０の光を導光板１６によって拡散するから、壁掛け式空気調和機本体１の本体横幅よりも広い範囲を照射することもできる。したがって、居住者は壁掛け式空気調和機本体の下方付近に位置していても、壁掛け式空気調和機本体１の両側部照射及び光源ユニット１４の傾斜設置による前部照射により形成される壁掛け式空気調和機本体１周りの間接光によってほのかな間接照明を得ることができ、間接照明効果をより効果的かつ確実に発揮させることができる。
【００８２】
以上によれば、標準的な設置状態を想定し、壁掛け式空気調和機本体１と天井面との間の間隔を１００ｍｍであるとすると、光源ユニット１４の真上（例えば、壁掛け式空気調和機本体１が設置された壁面からの距離が２００ｍｍの位置）の天井面では、１５０ｌｕｘ程度の照度とできる。そして、壁掛け式空気調和機本体１の前方（例えば、壁掛け式空気調和機本体１が設置された壁面からの距離が３５０ｍｍの位置）の天井面でも、５０ｌｕｘ以上の照度が確保できる。また、壁掛け式空気調和機本体１の本体横幅より外側（例えば、壁掛け式空気調和機本体１の中心から左右に４００ｍｍの位置）の天井面でも、５０ｌｕｘ以上の照度が確保できる。つまり、壁掛け式空気調和機本体１の前面や側面の上部であっても、光源ユニット１４の真上と比較して、約１／３以上の照度（ｌｕｘ値）を確保できる。
【００８３】
また、前記壁掛け式空気調和機本体１の上面に取付ける光源ユニット１４は、短冊状筐体１７と、短冊状筐体１７の両端部から中央方向に向かって光を照射する光源体１５と、この光源体１５の照射光を短冊状筐体１７の長手方向に沿って導光する導光板１６とで構成してあるから、光源ユニット１４自体の高さを低くすることができ、壁掛け式空気調和機を正面遠方から見た場合であっても、間接照明の雰囲気を損なうことがないようにすることができる。
【００８４】
そして、前記光源ユニット１４は、その短冊状筐体１７となる支持基台１８に導光板１６と光源体１５を支持させ、この導光板１６及び光源体１５の上から前記支持基台１８にカバー１９を被せ装着してユニット化してあるから、導光板１６及び光源体１５を確実に保持しユニット化して壁掛け式空気調和機本体１に装着でき、その取り付けも容易に行うことができる。
【００８５】
更に、上記光源ユニット１４は、導光板１６を保持した短冊状筐体１７の両端部に光源体１５を設け、この光源体１５の発光素子２０から中央方向に向かって互いに向かい合うように光を照射させ導光板１６で拡散するようにしてあるから、光源ユニット１４が壁掛け式空気調和機本体１の長手方向に沿った長いものであっても少ない数の発光素子２０で壁掛け式空気調和機本体１の上方略全域を照射することができる。
【００８６】
更にまた、上記光源ユニット１４による光の照射は導光板１６による光の拡散効果によってむらの少ない均一なものとすることができ、良質な間接照明を実現することができる。
【００８７】
加えて、上記導光板１６によって既述したようにその光を壁掛け式空気調和機本体１の本体横幅よりも広い範囲を照射可能となり、光源ユニット１４を壁掛け式空気調和機本体１の横幅一杯の長さに形成しなくても、前記したように壁掛け式空気調和機本体１の本体横幅よりも広い範囲を照射することができる。
【００８８】
一方、前記光源ユニット１４を設けた壁掛け式空気調和機本体１は、その上面の光源ユニット１４よりも前方部分が前下がり状態に傾斜する形となっているため、光源ユニット１４の導光板１６からの光によって壁掛け式空気調和機本体１上面の傾斜面１２前部が薄明るく照らされる可能性がある。特にこの実施の形態では、前記光源ユニット１４自体も前下がり状態に傾斜設置しているので、壁掛け式空気調和機本体１上面の傾斜面１２前部は薄明るく照らされやすいことになる。そして、このように壁掛け式空気調和機本体１の前部上面が薄明るくなると光源ユニット１４で照射している天井面の明るさがぼやけた形となる。
【００８９】
しかしながら、本実施の形態では、光源ユニット１４の前方部分に光源となる導光板１６から前方へと放射される光を遮る遮光部、すなわち多重の壁板部２２あるいはリード線２５あるいはカバー１９およびそのカバー壁板部２８が設けてあるから、良質な間接照明を得ることができる。
【００９０】
すなわち、短冊状筐体１７の支持基台１８の前部に設けた多重の壁板部２２ｂ、２２ｃ、２２ｄは、導光板１６の前端面から壁掛け式空気調和機本体１の前方上面へと放射される光を遮断し、光源ユニット１４よりも前方の壁掛け式空気調和機本体１上面部分が薄明るくなるのを防止する。
【００９１】
また、上記多重の壁板部２２ｂ、２２ｃ、２２ｄのうちの前部の壁板部２２ｃ、２２ｄで形成した空間部２４に設けたリード線２５も、導光板１６の前端面から前方へと放射さ
れる光を遮断し、壁板部２２ｂ、２２ｃ、２２ｄによる遮効果と合わさってより確実に導光板１６の前端面から壁掛け式空気調和機本体１の前方上面へと放射される光を遮断することになる。そして、上記リード線２５は導光板１６の前端面から前方へと放射される光を遮断する多重の壁板部２２ｃ、２２ｄの間に形成した空間部２４を利用して引き出し配線することができ、構成の合理化が図れる。
【００９２】
さらに、前記光源ユニット１４のカバー１９も、導光板１６の前方を覆って導光板１６の前端面から壁掛け式空気調和機本体１の前方上面へと放射される光を遮断し、光源ユニット１４よりも前方の壁掛け式空気調和機本体１上面部分が薄明るくなるのを防止することができる。また、光源ユニット１４の一部分から前方に光が漏れることを防止できる。
【００９３】
特に、この実施の形態では、光源ユニット１４自体を前下がり状態に傾斜設置しているため、導光板１６の特に上面から放射される光の一部が光源ユニット１４よりも前方の壁掛け式空気調和機本体１上面部分を薄明るく照らす可能性があるが、この光も上記導光板１６の前方部を覆うカバー１９にカバー壁板部２８を設けて遮光し、光源ユニット１４よりも前方の壁掛け式空気調和機本体１上面部分が薄明るくなるのを防止することができる。すなわち、導光板１６の前方部を覆うカバー１９に設けたカバー壁板部２８が導光板１６の後端部Ｘよりも高位置まで立設設定してあるので、導光板１６上面から前方への光を遮り、光源ユニット１４よりも前方の壁掛け式空気調和機本体１上面部分が薄明るくなるのを防止することができる。
【００９４】
このように壁板部２２あるいはリード線２５あるいはカバー１９及びそのカバー壁板部２８からなる遮光部はそのいずれかもしくは複数が前下がり状態の光源ユニット１４からの光を遮って光源ユニット１４よりも前方の壁掛け式空気調和機本体１上面部分を照らしてこの部分が薄明るくなるのを防止することができ、天井面に形成される間接光をくっきりと浮かび上がらせて良質な間接照明とすることができる。
【００９５】
なお、上記遮光部となる壁板部２２あるいはリード線２５あるいはカバー１９及びそのカバー壁板部２８はそのすべてを具備させることによって遮光効果を高いものとすることができるが、そのすべてを必要とするものではなく、少なくとも導光板１６の前端面に位置する壁板部２２ｂを遮光部として備えておればよいものである。
【００９６】
また、この実施の形態では遮光に関しては更に次のような効果も備えている。すなわち、前記光源ユニット１４の短冊状筐体１７を構成するカバー１９には、その両端部分に光源体１５を覆う側面カバー部２７を設けてあるから、光源ユニット１４の両側部から光源体１５の発光素子２０からの光もしくは導光板１６両側部からの光が横方向に漏れるのを防止することができる。これにより、壁掛け式空気調和機本体１の側方部が一部明るくなって間接照明効果を低下させてしまうのを防止でき、更に良質な間接照明とすることができる。
【００９７】
さらにまたこの実施の形態の光源ユニット１４は、その制御例で説明したように「入」タイマー設定時は白色系の発光素子２０ａを点灯させて間接照明を行い、「切」タイマー設定時は暖色系の発光素子２０ｂを点灯させて間接照明を行う。したがって、「入」タイマーを設定して空調運転を開始させる起床時のようなときには、太陽光に近い白色系の間接照明を行って目覚めやすくするとともに活動的な雰囲気を創出することができる。そして、「切」タイマーを設定する夜間の休息時や就寝時等は、暖色系の光源体を点灯させて間接照明を行って安らぎを与えるとともに眠りやすい雰囲気を創出することができる。すなわち、居住者の生活シーンに応じて最適な間接照明が可能となり、空調効果と相まってより快適な空間の創出が可能となる。
【００９８】
しかも、上記白色系、暖色系の照明切換は「入」タイマー及び「切」タイマーに連動して自動的に行われるので、使い勝手もよい。
【００９９】
さらに前記光源ユニット１４による間接照明は、照明スイッチ３１によって間接照明有もしくは間接照明無に任意に選択することができ、好みに応じて使い分けられるので使い勝手は一段と良好なものとなる。
【０１００】
以上、本発明に係る空気調和機について、上記実施の形態を用いて説明してきたが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【０１０１】
例えば、遮光部となる壁板部２２あるいはリード線２５あるいはカバー１９及びそのカバー壁板部２８はそのすべてを具備することによって遮光効果の高いものとすることができるが、既に述べたように必ずしもそのすべてを必要とするものではなく、少なくとも導光板１６の前端面に位置する壁板部２２ｂを遮光部として備えておればよいものである。
【０１０２】
また光源ユニット１４の遮光部となる壁板部２２は多重でなくても導光板１６の前端部に対向する壁板部２２ｂ一つであってもよいし、リード線２５も必ずしも導光板１６の前方に配線しなければならないというものでもない。
【０１０３】
さらに、カバー１９に隆起させて設けたカバー壁板部２８も、光源ユニット１４、すなわち導光板１６を前下がり状に傾斜設置しなければ必ずしも必要としないものである。
【０１０４】
また、間接照明の照明色は白色系及び暖色系の二色だけではなく暖色系から白色系の間を数段階に切り換えられるようにしてもよいし、間接照明も照明スイッチ３１を設けることなく空調運転時は常に間接照明を行うようにしてもよい。
【０１０５】
また、照明スイッチ３１の操作によって、空気調和機の運転とは無関係に、光源ユニット１４の点灯または消灯させる場合があってもよい、等々である。
【産業上の利用可能性】
【０１０６】
本発明は、壁掛け式空気調和機本体を設置するだけで間接照明を得ることができ、既築住宅であっても容易かつ安価に、そして空調性能を損なうことなく良好な間接照明を得ることができる。よって商業施設や一般家庭等で使用される空気調和機として有用である。
【符号の説明】
【０１０７】
１  壁掛け式空気調和機本体
２  熱交換器
３  送風ファン
４  吸込口
５  吹出口
６  エアフィルタ
７  上下風向変更羽根
８  前面パネル
９  制御ユニット
１０  表示部
１１  リモコン
１２  傾斜面
１４  光源ユニット
１５  光源体
１６  導光板
１７  短冊状筐体
１８  支持基台
１９  カバー（遮光部）
２０、２０ａ、２０ｂ  発光素子
２１  光源体基板
２２、２２ａ、２２ｂ、２２ｃ、２２ｄ  壁板部（遮光部）
２３  凹部
２４  空間部
２５  リード線（遮光部）
２６  リード線引出部
２７  側面カバー部
２８  カバー壁板部（遮光部）
２９  係合爪片
３０  係合孔
３１  照明スイッチ
３２  運転スイッチ
３３  「入」タイマースイッチ
３４  「切」タイマースイッチ
【図１】
0006295438.tif 000002
【図２】
0006295438.tif 000003
【図３】
0006295438.tif 000004
【図４】
0006295438.tif 000005
【図５】
0006295438.tif 000006
【図６】
0006295438.tif 000007
【図７】
0006295438.tif 000008
【図８】
0006295438.tif 000009
【図９】
0006295438.tif 000010
【図１０】
0006295438.tif 000011
【図１１】
0006295438.tif 000012